(57)【要約】【課題】使用者が運転温度を任意の値に設定することができるふとん乾燥機を得る。【解決手段】本発明に係るふとん乾燥機は、運転モード選択指示を送信する運転モード選択手段、運転温度変更指示を送信する運転温度変更手段、複数の運転モードが記憶されている記憶手段、及び受信した運転モード選択指示に基づいて記憶手段に記憶されている複数の運転モードの中から１つの運転モードを選択する運転制御手段を備える。記憶手段に記憶されている複数の運転モードのうち１つの運転モードは運転条件変更可能モードである。記憶手段には、運転条件変更可能モードの運転温度が記憶されている。運転制御手段は、運転条件変更可能モードを選択している時は、運転温度変更手段から受信した運転温度変更指示に基づいて、運転条件変更可能モードの運転温度を変更する。【選択図】図５
2017056027.tif 000002
【特許請求の範囲】
【請求項１】
運転モード選択指示を送信する運転モード選択手段と、
運転温度変更指示を送信する運転温度変更手段と、
複数の運転モードが記憶されている記憶手段と、
前記運転モード選択手段から受信した運転モード選択指示に基づいて、前記記憶手段に記憶されている複数の運転モードの中から１つの運転モードを選択する運転制御手段と、
を備え、
前記記憶手段に記憶されている複数の運転モードのうち１つの運転モードは運転条件変更可能モードであり、
前記記憶手段には、運転条件変更可能モードの運転温度が記憶されており、
前記運転制御手段は、運転条件変更可能モードを選択している時は、前記運転温度変更手段から受信した運転温度変更指示に基づいて、前記記憶手段に記憶された運転条件変更可能モードの運転温度を変更するふとん乾燥機。
【請求項２】
前記記憶手段には、運転温度が変更可能な範囲である第１範囲が記憶されており、
前記運転制御手段は、前記運転温度変更手段から受信した運転温度変更指示が前記記憶手段に記憶された運転条件変更可能モードの運転温度を前記第１範囲の外に変更させる指示であれば、前記記憶手段に記憶された運転条件変更可能モードの運転温度を前記第１範囲の外には変更しない請求項１に記載のふとん乾燥機。
【請求項３】
注意報知を行う報知手段を備え、
前記運転制御手段は、前記運転温度変更手段から受信した運転温度変更指示が前記記憶手段に記憶された運転条件変更可能モードの運転温度を前記第１範囲の外に変更させる指示であれば、前記報知手段に注意報知をさせる請求項２に記載のふとん乾燥機。
【請求項４】
運転時間変更指示を送信する運転時間変更手段を備え、
前記記憶手段には、運転条件変更可能モードの運転時間が記憶されており、
前記運転制御手段は、運転条件変更可能モードを選択している時は、前記運転時間変更手段から受信した運転時間変更指示に基づいて、前記記憶手段に記憶された運転条件変更可能モードの運転時間を変更する請求項１から請求項３の何れか１項に記載のふとん乾燥機。
【請求項５】
前記記憶手段には、運転時間が変更可能な範囲である第２範囲が記憶されており、
前記運転制御手段は、前記運転時間変更手段から受信した運転時間変更指示が運転時間を前記第２範囲の外に変更させる指示であれば、前記記憶手段に記憶された運転条件変更可能モードの運転時間を前記第２範囲の外には変更しない請求項４に記載のふとん乾燥機。
【請求項６】
運転時間変更指示を送信する運転時間変更手段を備え、
前記記憶手段には、運転条件変更可能モードの運転時間と、運転条件変更可能モードの運転時間が変更可能な範囲である第２範囲とが記憶され、
前記運転制御手段は、運転条件変更可能モードを選択している時は、前記運転時間変更手段から受信した運転時間変更指示が運転時間を前記第２範囲の内へ変更する指示の場合には受信した運転時間変更指示に基づいて前記記憶手段に記憶された運転条件変更可能モードの運転時間を変更し、前記運転時間変更手段から受信した運転時間変更指示が運転時間を前記第２範囲の外に変更させる指示の場合には前記記憶手段に記憶された運転条件変更可能モードの運転時間を前記第２範囲の外には変更せずに前記報知手段に注意報知をさせる請求項３に記載のふとん乾燥機。
【請求項７】
表示手段を備え、
前記運転制御手段は、前記記憶手段に記憶された運転条件変更可能モードの運転温度を変更した場合には変更した運転温度を前記表示手段に表示させ、前記記憶手段に記憶された運転条件変更可能モードの運転時間を変更した場合には変更した運転時間を前記表示手段に表示させる請求項４から請求項６の何れか１項に記載のふとん乾燥機。
【請求項８】
表示手段を備え、
前記運転制御手段は、前記記憶手段に記憶された運転条件変更可能モードの運転温度を変更した場合には変更した運転温度を前記表示手段に表示させる請求項１から請求項６の何れか１項に記載のふとん乾燥機。
【請求項９】
対象物を乾燥させるための乾燥手段と、
運転開始指示を送信する運転開始手段と、
を備え、
前記運転制御手段は、運転条件変更可能モードを選択している時に前記運転開始手段から運転開始指示を受信すると、前記記憶手段に記憶された運転条件変更可能モードの運転温度に基づいて前記乾燥手段を運転させる請求項１から請求項８の何れか１項に記載のふとん乾燥機。
【請求項１０】
前記記憶手段には、運転条件変更可能モードの運転温度の初期値が記憶されており、
前記運転制御手段は、運転条件変更可能モードに基づいて前記乾燥手段の運転が完了すると、前記記憶手段に記憶された運転条件変更可能モードの運転温度を初期値に戻す請求項９に記載のふとん乾燥機。
【請求項１１】
対象物を乾燥させるための乾燥手段と、
運転開始指示を送信する運転開始手段と、
を備え、
前記運転制御手段は、運転条件変更可能モードを選択している時に前記運転開始手段から運転開始指示を受信すると、前記記憶手段に記憶された運転条件変更可能モードの運転温度及び運転時間に基づいて前記乾燥手段を運転させる請求項４から請求項７の何れか１項に記載のふとん乾燥機。
【請求項１２】
前記記憶手段には、運転条件変更可能モードの運転温度及び運転時間の初期値が記憶されており、
前記運転制御手段は、運転条件変更可能モードに基づいて前記乾燥手段の運転が完了すると、前記記憶手段に記憶された運転条件変更可能モードの運転温度及び運転時間を初期値に戻す請求項１１に記載のふとん乾燥機。
【発明の詳細な説明】
【技術分野】
【０００１】
本発明は、ふとん乾燥機に関する。
【背景技術】
【０００２】
特許文献１に、ふとん乾燥機が記載されている。ふとん乾燥機には、複数の運転モードが設定されている。使用者は、複数の運転モードの中から１つの運転モードを選択し、ふとん乾燥機を使用する。ふとん乾燥機は、選択された運転モードに基づいて動作する。
【先行技術文献】
【特許文献】
【０００３】
【特許文献１】特開平４―１０５６９９号公報
【発明の概要】
【発明が解決しようとする課題】
【０００４】
上記特許文献１に記載のふとん乾燥機において、運転温度は、運転モードに合わせて予め設定されている。ふとん乾燥機は、選択された運転モードに合わせて予め設定された運転温度で動作する。使用者は、気温等の使用環境に合わせて、ふとん乾燥機を任意の運転温度で使用することができない。気温等は、例えば季節及び天候によって変動する。例えば夏の晴天の日などには、運転温度が必要以上に高温になり、無駄な消費電力が生じることがあった。使用者は、ストレスを抱えた状態でふとん乾燥機を使用しなければならなかった。
【０００５】
本発明は、上記のような課題を解決するためになされた。本発明の目的は、使用者が運転温度を任意の値に設定することができるふとん乾燥機を得ることである。
【課題を解決するための手段】
【０００６】
本発明に係るふとん乾燥機は、運転モード選択指示を送信する運転モード選択手段と、運転温度変更指示を送信する運転温度変更手段と、複数の運転モードが記憶されている記憶手段と、運転モード選択手段から受信した運転モード選択指示に基づいて、記憶手段に記憶されている複数の運転モードの中から１つの運転モードを選択する運転制御手段と、を備える。記憶手段に記憶されている複数の運転モードのうち１つの運転モードは運転条件変更可能モードである。記憶手段には、運転条件変更可能モードの運転温度が記憶されている。運転制御手段は、運転条件変更可能モードを選択している時は、運転温度変更手段から受信した運転温度変更指示に基づいて、記憶手段に記憶された運転条件変更可能モードの運転温度を変更する。
【発明の効果】
【０００７】
本発明に係るふとん乾燥機は、運転温度変更手段と運転制御手段とを備える。運転制御手段は、運転温度変更手段から受信した運転温度変更指示に基づいて、運転条件変更可能モードの運転温度を変更する。これにより使用者は、ふとん乾燥機の運転温度を任意の値に設定することができる。
【図面の簡単な説明】
【０００８】
【図１】本発明の実施の形態１のふとん乾燥機の使用状態を示す断面図である。
【図２】本発明の実施の形態１のふとん乾燥機の要部構成図である。
【図３】本発明の実施の形態１のふとん乾燥機が備える操作部及び表示部の詳細を示す図である。
【図４】本発明の実施の形態１のふとん乾燥機の動作時に制御装置が行う制御の概要を示すフローチャートである。
【図５】本発明の実施の形態１において制御装置が行う運転条件変更処理を示すフローチャートである。
【図６】本発明の実施の形態１のふとん乾燥機が備える制御装置のハードウェア構成図である。
【発明を実施するための形態】
【０００９】
以下、図面を参照して、本発明の実施の形態について説明する。尚、各図において同一部分または相当部分は、同一の符号を付して、重複する説明を省略する。
【００１０】
実施の形態１．
図１は、本発明の実施の形態１のふとん乾燥機の使用状態を示す断面図である。本実施の形態のふとん乾燥機は、乾燥機本体１、乾燥用マット２及びホース３を備える。ホース３は、柔軟性のある部材である。乾燥機本体１と乾燥用マット２とは、ホース３によって接続される。また乾燥機本体１には、図示しない電源プラグが設けられる。
【００１１】
乾燥機本体１は、ホース３を介し、乾燥用マット２へ温風を送り込む。ふとん乾燥機は、乾燥用マット２へ送り込んだ温風の熱によって対象物を乾燥させる。対象物には、例えばふとん、衣類及びブーツ等が含まれる。使用者は、図１に示すように、例えば乾燥用マット２を敷きふとん４と掛けふとん５との間に挟んだ状態でふとん乾燥機を使用する。
【００１２】
乾燥機本体１は、筐体部６を備える。筐体部６には、吸気口６ａ及び吹出口６ｂが形成されている。吸気口６ａ及び吹出口６ｂは、筐体部６の外部と内部とを連通させる孔である。吹出口６ｂには、ホース３の一端が設けられる。ホース３の他端は、乾燥用マット２に設けられる。
【００１３】
乾燥機本体１は、送風機７、加熱装置８、温度センサー９及び制御装置１０を備える。送風機７、加熱装置８、温度センサー９及び制御装置１０は、筐体部６の内部に設けられる。また乾燥機本体１は、操作部１１及び表示部１２を備える。操作部１１及び表示部１２は、筐体部６に設けられる。また乾燥機本体１は、一例として報知部１３を備えてもよい。報知部１３は、例えば筐体部６の内部に設けられる。報知部１３は、例えばスピーカーによって構成される。
【００１４】
送風機７は、筐体部６の外部の空気を吸気口６ａから筐体部６の内部へ取り込む。送風機７は、取り込んだ空気を吹出口６ｂへ送る。吹出口６ｂへ送られた空気は、乾燥機本体１の外部へ吐出される。乾燥機本体１の外部へ吐出された空気は、ホース３を介して、乾燥用マット２へ供給される。
【００１５】
加熱装置８は、例えば送風機７と吹出口６ｂとの間に設けられる。加熱装置８は、送風機７によって送られた空気を乾燥機本体１の内部で加熱する。本実施の形態のふとん乾燥機は、送風機７及び加熱装置８が動作することにより、温風を吹出口６ｂから乾燥機本体１の外部へ吐出することができる。送風機７及び加熱装置８は、対象物を乾燥させるため乾燥手段の一例である。
【００１６】
また本実施の形態のふとん乾燥機は、加熱装置８が停止している状態で送風機７が動作することにより、常温の風を吹出口６ｂから吐出することができる。本実施の形態において乾燥機本体１は、温風を供給する装置としての機能と、常温の風を送る装置としての機能とを有する。
【００１７】
温度センサー９は、例えば吹出口６ｂの近傍に設けられる。温度センサー９は、吹出口６ｂから吐出される空気の温度を検出する。温度センサー９は、例えば送風機７及び加熱装置８が動作している際、温風の温度を検出する。また温度センサー９は、例えば加熱装置８が停止している状態で送風機７が動作している際、常温の風の温度を検出する。すなわち温度センサー９は、加熱装置８が停止している状態で送風機７が動作している際には、室温等の外気温を検出する。
【００１８】
図２は、本実施の形態のふとん乾燥機の要部構成図である。制御装置１０は、乾燥機本体１を構成する各機器と接続される。制御装置１０は、例えば図２に示すように、送風機７、加熱装置８、温度センサー９、操作部１１、表示部１２及び報知部１３に接続される。また制御装置１０は、運転制御部１０ａ及び記憶部１０ｂを備える。運転制御部１０ａ及び記憶部１０ｂは、制御装置１０の要部を構成する。
【００１９】
運転制御部１０ａは、運転制御手段の一例である。記憶部１０ｂは、記憶手段の一例である。記憶部１０ｂには、予め複数の運転モードが記憶されている。複数の運転モードには、それぞれに運転条件が設定される。運転条件には、例えば運転温度及び運転時間が含まれる。記憶部１０ｂには、運転モードと運転条件とが組み合わされて記憶される。なお運転モードには、例えば運転温度のみが運転条件として設定されていてもよい。
【００２０】
複数の運転モードには、例えばふとん乾燥モード、ブーツ乾燥モード及び衣類乾燥モードが含まれる。ふとん乾燥モードは、ふとんを乾燥させるための運転モードである。ブーツ乾燥モードは、ブーツを乾燥させるための運転モードである。衣類乾燥モードは、衣類を乾燥させるための運転モードである。
【００２１】
本実施の形態において、ふとん乾燥モード、ブーツ乾燥モード及び衣類乾燥モードの運転条件は予め設定されている。使用者は、ふとん乾燥モード、ブーツ乾燥モード及び衣類乾燥モードの運転条件を変更することができない。
【００２２】
また本実施の形態における複数の運転モードには、マニュアルモードが含まれる。マニュアルモードは、使用者によって運転条件が任意に設定される運転モードである。マニュアルモードは、運転条件変更可能モードの一例である。
【００２３】
運転制御部１０ａは、記憶部１０ｂに記憶された複数の運転モードの中から１つの運転モードを選択する機能を有する。運転制御部１０ａは、選択した運転モードに基づいて送風機７及び加熱装置８を制御する機能を有する。また運転制御部１０ａは、マニュアルモードの運転条件を変更する機能を有する。運転制御部１０ａは、変更した運転条件を記憶部１０ｂに記憶させる機能を有する。
【００２４】
図３は、本実施の形態のふとん乾燥機が備える操作部１１及び表示部１２の詳細を示す図である。操作部１１は、例えば使用者が運転モードを選択する際あるいは運転条件を設定する際に使用される。操作部１１は、使用者からの操作に応じた指示を制御装置１０へ送信する機能を有する。
【００２５】
操作部１１が送信する指示には、一例として運転モード選択指示、運転開始指示、運転取消指示及び運転条件変更指示が含まれる。運転モード選択指示は、運転制御部１０ａに運転モードを選択させる指示である。運転開始指示は、運転制御部１０ａに送風機７及び加熱装置８を動作させる指示である。運転取消指示は、運転制御部１０ａに送風機７及び加熱装置８を停止させる指示である。運転条件変更指示は、運転制御部１０ａに運転条件を変更させる指示である。
【００２６】
表示部１２は、表示手段の一例である。表示部１２は、図３に示すように、例えば運転制御部１０ａによって選択されている運転モードと、その運転モードに設定された運転条件とを表示する。
【００２７】
また操作部１１は、図３に示すように、例えば複数のボタンあるいはキーによって構成される。操作部１１は、一例として運転モード選択部１１ａ、運転開始部１１ｂ、取消部１１ｃ、運転温度変更部１１ｄ及び運転時間変更部１１ｅを備える。なお操作部１１は、運転モード選択部１１ａ、運転開始部１１ｂ、取消部１１ｃ、運転温度変更部１１ｄ及び運転時間変更部１１ｅ以外のボタンあるいはキーをさらに備えていてもよい。
【００２８】
運転モード選択部１１ａは、運転モード選択手段の一例である。運転モード選択部１１ａは、記憶部１０ｂに記憶された複数の運転モードの中から１つのモードを選択するためのものである。運転モード選択部１１ａは、使用者からの操作に基づいて運転モード選択指示を制御装置１０へ送信する機能を有する。
【００２９】
運転開始部１１ｂは、運転開始手段の一例である。運転開始部１１ｂは、ふとん乾燥機の運転を開始させるためのものである。運転開始部１１ｂは、使用者からの操作に応じて運転開始指示を制御装置１０へ送信する機能を有する。また取消部１１ｃは、ふとん乾燥機の運転を停止させるためのものである。取消部１１ｃは、使用者からの操作に応じて運転取消指示を制御装置１０へ送信する機能を有する。
【００３０】
運転温度変更部１１ｄは、使用者が運転温度を任意の値に設定するためのものである。運転温度変更部１１ｄは、運転温度変更手段の一例である。運転温度変更部１１ｄは、運転温度変更指示を送信する機能を有する。運転温度変更指示は、運転制御部１０ａに運転温度を変更させる指示である。運転温度変更指示は、運転条件変更指示の一例である。使用者は、記憶部１０ｂに記憶された複数の運転モードのうちマニュアルモードが選択されている際、運転温度変更部１１ｄを操作することによって運転温度を任意の値に設定することができる。
【００３１】
運転温度変更部１１ｄは、例えば図３に示すように、運転温度上昇指示部１１ｄ１を有する。運転温度上昇指示部１１ｄ１は、使用者からの操作に応じて、運転温度上昇指示を制御装置１０へ送信する機能を有する。
【００３２】
運転温度上昇指示は、運転制御部１０ａにマニュアルモードの運転温度を設定温度ａ１へと上昇させる指示である。運転制御部１０ａは、運転温度上昇指示に基づいて記憶部１０ｂに記憶されたマニュアルモードの運転温度を、設定温度ａ１へと変更する機能を有する。運転温度上昇指示は、運転温度変更指示の一例である。
【００３３】
また運転温度変更部１１ｄは、例えば図３に示すように、運転温度下降指示部１１ｄ２を有する。運転温度下降指示部１１ｄ２は、使用者からの操作に応じて、運転温度下降指示を制御装置１０へ送信する機能を有する。
【００３４】
運転温度下降指示は、運転制御部１０ａにマニュアルモードの運転温度を設定温度ａ２へと下降させる指示である。運転制御部１０ａは、運転温度下降指示に基づいて記憶部１０ｂに記憶されたマニュアルモードの運転温度を、設定温度ａ２へと変更する機能を有する。運転温度下降指示は、運転温度変更指示の一例である。
【００３５】
運転時間変更部１１ｅは、使用者が運転時間を任意の値に設定するためのものである。運転時間変更部１１ｅは、運転時間変更手段の一例である。運転時間変更部１１ｅは、運転時間変更指示を送信する機能を有する。運転時間変更指示は、運転制御部１０ａに運転時間を変更させる指示である。運転時間変更指示は、運転条件変更指示の一例である。使用者は、記憶部１０ｂに記憶された複数の運転モードのうちマニュアルモードが選択されている際、運転時間変更部１１ｅを操作することによって運転時間を任意の値に設定することができる。
【００３６】
運転時間変更部１１ｅは、例えば図３に示すように、運転時間延長指示部１１ｅ１を有する。運転時間延長指示部１１ｅ１は、使用者からの操作に応じて、運転時間延長指示を制御装置１０へ送信する機能を有する。
【００３７】
運転時間延長指示は、運転制御部１０ａにマニュアルモードの運転時間を設定時間ｂ１へと延長させる指示である。運転制御部１０ａは、運転時間延長指示に基づいて記憶部１０ｂに記憶されたマニュアルモードの運転時間を、設定時間ｂ１へと変更する機能を有する。運転時間延長指示は、運転時間変更指示の一例である。
【００３８】
また運転時間変更部１１ｅは、例えば図３に示すように、運転時間短縮指示部１１ｅ２を有する。運転時間短縮指示部１１ｅ２は、使用者からの操作に応じて、運転時間短縮指示を制御装置１０へ送信する機能を有する。運転時間短縮指示は、運転時間変更指示の一例である。
【００３９】
運転時間短縮指示は、運転制御部１０ａにマニュアルモードの運転時間を設定時間ｂ２へと短縮させる指示である。運転制御部１０ａは、運転時間短縮指示に基づいて記憶部１０ｂに記憶されたマニュアルモードの運転時間を、設定時間ｂ２へと変更する機能を有する。運転時間短縮指示は、運転時間変更指示の一例である。
【００４０】
報知部１３は、報知手段の一例である。報知部１３は、ふとん乾燥機が使用者へ注意報知を行うためのものである。本実施の形態では一例として、記憶部１０ｂに運転条件変更可能範囲が予め記憶される。運転条件変更可能範囲は、マニュアルモードの運転条件が変更可能な範囲である。本例において報知部１３は、使用者が運転条件を運転条件変更可能範囲の外へ設定しようとした際に使用者へ注意報知を行う機能を有する。
【００４１】
また記憶部１０ｂには、運転条件変更可能範囲一例として、第１範囲及び第２範囲が記憶される。第１範囲は、マニュアルモードの運転温度が変更可能な範囲である。第２範囲は、マニュアルモードの運転時間が変更可能な範囲である。
【００４２】
本例において第１範囲の上限値は、温度上限値Ａ１として予め記憶部１０ｂに記憶される。また第１範囲の下限値は、温度下限値Ａ２として予め記憶部１０ｂに記憶される。同様に第２範囲の上限値は、時間上限値Ｂ１として予め記憶部１０ｂに記憶される。第２範囲の下限値は、時間下限値Ｂ２として予め記憶部１０ｂに記憶される。
【００４３】
次に、本実施の形態のふとん乾燥機の動作について説明する。図４は、本実施の形態のふとん乾燥機の動作時に制御装置１０が行う制御の概要を示すフローチャートである。
【００４４】
まず制御装置１０は、乾燥機本体１に設けられた電源プラグが商用電源に接続されているか判定する（ステップＳ１）。ステップＳ１の判定は、例えば制御装置１０のうち運転制御部１０ａによって行われる。電源プラグが商用電源に接続されている状態を、以下ではプラグＩＮと呼称する。プラグＩＮでない場合、運転制御部１０ａは、ステップＳ１の判定を継続する。
【００４５】
運転制御部１０ａは、ステップＳ１でプラグＩＮであると判定すると、操作部１１から指示を受信したか判定する（ステップＳ２）。運転制御部１０ａは、操作部１１から指示を受信していないと判定した場合、ステップＳ２の判定を継続する。例えば制御装置１０は、運転制御部１０ａがステップＳ２で操作部１１から指示を受信したと判定した場合、操作部１１が使用者によって操作されたと判定する。
【００４６】
運転制御部１０ａは、ステップＳ２で操作部１１から指示を受信したと判定すると、受信した指示が運転モード選択指示であるか判定する（ステップＳ３）。
【００４７】
運転制御部１０ａは、ステップＳ３で運転モード選択指示を受信したと判定すると、受信した運転モード選択指示に基づき、記憶部１０ｂに記憶された複数の運転モードの中から１つの運転モードを選択する（ステップＳ４）。運転制御部１０ａは、例えばステップＳ４の実施前に既に運転モードを選択している場合には、受信した運転モード選択指示に基づき、選択している運転モードを変更する。
【００４８】
運転制御部１０ａは、ステップＳ４で運転モードを選択すると、選択した運転モードと、選択した運転モードに設定された運転条件とを表示部１２に表示させる（ステップＳ５）。運転制御部１０ａは、ステップＳ５の後、再びステップＳ２の判定を行う。
【００４９】
運転制御部１０ａは、ステップＳ３で運転モード選択指示を受信していないと判定すると、受信した指示が運転条件変更指示であるか判定する（ステップＳ６）。運転制御部１０ａは、ステップＳ６で運転条件変更指示を受信したと判定すると、受信した運転条件変更指示に基づいて運転条件変更処理を行う（ステップＳ７）。運転条件変更処理についての詳細な説明は後述する。
【００５０】
運転制御部１０ａは、ステップＳ７で運転条件変更処理を行うと、上記ステップＳ５と同様に、運転条件変更処理後の運転条件を表示部１２に表示させる。運転制御部１０ａは、運転条件を表示部１２に表示させた後、再びステップＳ２の判定を行う。
【００５１】
運転制御部１０ａは、ステップＳ６で運転条件変更指示を受信していないと判定すると、受信した指示が運転開始指示であるか判定する（ステップＳ８）。運転制御部１０ａは、ステップＳ８で運転開始指示を受信したと判定すると、送風機７及び加熱装置８を運転させることによってふとん乾燥機の運転を開始させる（ステップＳ９）。
【００５２】
運転制御部１０ａは、例えばステップＳ４で選択した運転モードに設定された運転条件に基づいて送風機７及び加熱装置８を制御する。またステップＳ４が実施されていない場合には、例えば規定モードが運転制御部１０ａによって選択されているとしてもよい。規定モードは、例えば記憶部に記憶された複数の運転モードのうちの１つのモードとして予め設定される。また、例えばふとん乾燥機が最後に使用された際の運転モードが、規定モードとして選択されているとしてもよい。
【００５３】
運転制御部１０ａは、運転条件に基づいて送風機７及び加熱装置８を制御する。運転制御部１０ａは、例えば温度センサー９が検出する温度が運転温度となるように、送風機７及び加熱装置８を制御する。
【００５４】
運転制御部１０ａは、ステップＳ９でふとん乾燥機の運転を開始させると、運転取消指示を受信したか判定する（ステップＳ１０）。運転制御部１０ａは、ステップＳ１０で運転取消指示を受信していないと判定した場合、ふとん乾燥機の運転を開始させてから運転時間だけ経過したか判定する（ステップＳ１１）。
【００５５】
運転制御部１０ａは、ステップＳ１１で運転時間が経過したと判定すると、運転停止処理を行う（ステップＳ１２）。運転停止処理は、送風機７及び加熱装置８を停止させる処理である。これにより、ふとん乾燥機の運転が停止する。運転制御部１０ａは、ステップＳ１１で運転時間が経過していないと判定すると、再びステップＳ１０の判定を行う。
【００５６】
運転制御部１０ａは、ステップＳ８で運転開始指示を受信していないと判定すると、再びステップＳ２の判定を行う。また運転制御部１０ａは、ステップＳ１０で運転取消指示を受信したと判定すると、ステップＳ１２の運転停止処理を行う。使用者は、ふとん乾燥機の運転中に取消部を操作することにより、ふとん乾燥機の運転を停止させることができる。
【００５７】
次に、上記ステップＳ７の運転条件変更処理についての詳細を説明する。図５は、本実施の形態おいて制御装置１０が行う運転条件変更処理を示すフローチャートである。
【００５８】
運転制御部１０ａは、上述の通り、運転条件変更指示を受信したと判定すると、運転条件変更処理を開始する。運転制御部１０ａは、運転条件変更処理を開始すると、受信した運転条件変更指示が運転温度上昇指示であるか判定する（ステップＳ１０１）。
【００５９】
運転制御部１０ａは、ステップＳ１０１で運転温度上昇指示を受信したと判定すると、選択している運転モードがマニュアルモードであるか判定する（ステップＳ１０２）。運転制御部１０ａは、ステップＳ１０２で運転モードがマニュアルモードであると判定すると、受信した運転温度上昇指示に基づいて設定される設定温度ａ１が温度上限値Ａ１以下であるか判定する（ステップＳ１０３）。
【００６０】
運転制御部１０ａは、ステップＳ１０３で設定温度ａ１が温度上限値Ａ１以下であると判定すると、マニュアルモードの運転温度を設定温度ａ１へと上昇させる（ステップＳ１０４）。運転制御部１０ａは、上昇後の運転温度、すなわち設定温度ａ１をマニュアルモードの新たな運転温度として記憶部１０ｂに記憶させる（ステップＳ１０５）。運転制御部１０ａは、新たな運転温度を記憶部１０ｂに記憶させた後、運転条件変更処理を終了する。
【００６１】
運転制御部１０ａは、ステップＳ１０２で運転モードがマニュアルモードでないと判定した場合、報知部１３に注意報知をさせる（ステップＳ１０６）。運転制御部１０ａは、ステップＳ１０３で設定温度ａ１が温度上限値Ａ１を上回っていると判定した場合にも同様に、報知部１３に注意報知をさせる。報知部１３は、例えばエラー音を出すことによって使用者に注意報知を行う。運転制御部１０ａは、報知部１３に注意報知をさせた後、運転条件変更処理を終了する。
【００６２】
運転制御部１０ａは、ステップＳ１０１で運転温度上昇指示を受信していないと判定すると、受信した運転条件変更指示が運転温度下降指示であるか判定する（ステップＳ１０７）。
【００６３】
運転制御部１０ａは、ステップＳ１０７で運転温度下降指示を受信したと判定すると、選択している運転モードがマニュアルモードであるか判定する（ステップＳ１０８）。運転制御部１０ａは、ステップＳ１０８で運転モードがマニュアルモードであると判定すると、受信した運転温度下降指示に基づいて設定される設定温度ａ２が温度下限値Ａ２以上であるか判定する（ステップＳ１０９）。
【００６４】
運転制御部１０ａは、ステップＳ１０９で設定温度ａ２が温度下限値Ａ２以上であると判定すると、マニュアルモードの運転温度を設定温度ａ２へと下降させる（ステップＳ１１０）。運転制御部１０ａは、上記ステップＳ１０５と同様に、下降後の運転温度である設定温度ａ２をマニュアルモードの新たな運転温度として記憶部１０ｂに記憶させる。運転制御部１０ａは、新たな運転温度を記憶部１０ｂに記憶させた後、運転条件変更処理を終了する。
【００６５】
運転制御部１０ａは、ステップＳ１０８で運転モードがマニュアルモードでないと判定した場合、ステップＳ１０６と同様に、報知部１３に注意報知をさせる。運転制御部１０ａは、ステップＳ１０９で設定温度ａ２が温度下限値Ａ２を下回っていると判定した場合にも同様に、報知部１３に注意報知をさせる。運転制御部１０ａは、報知部１３に注意報知をさせた後、運転条件変更処理を終了する。
【００６６】
運転制御部１０ａは、ステップＳ１０７で運転温度下降指示を受信していないと判定すると、受信した運転条件変更指示が運転時間延長指示であるか判定する（ステップＳ１１１）。
【００６７】
運転制御部１０ａは、ステップＳ１１１で運転時間延長指示を受信したと判定すると、選択している運転モードがマニュアルモードであるか判定する（ステップＳ１１２）。運転制御部１０ａは、ステップＳ１１２で運転モードがマニュアルモードであると判定すると、受信した運転時間延長指示に基づいて設定される設定時間ｂ１が時間上限値Ｂ１以下であるか判定する（ステップＳ１１３）。
【００６８】
運転制御部１０ａは、ステップＳ１１３で設定時間ｂ１が時間上限値Ｂ１以下であると判定すると、マニュアルモードの運転時間を設定時間ｂ１へと延長させる（ステップＳ１１４）。運転制御部１０ａは、延長後の運転時間、すなわち設定時間ｂ１をマニュアルモードの新たな運転時間として記憶部１０ｂに記憶させる（ステップＳ１１５）。運転制御部１０ａは、新たな運転時間を記憶部１０ｂに記憶させた後、運転条件変更処理を終了する。
【００６９】
運転制御部１０ａは、ステップＳ１１２で運転モードがマニュアルモードでないと判定した場合、ステップＳ１０６と同様に、報知部１３に注意報知をさせる。運転制御部１０ａは、ステップＳ１１３で設定時間ｂ１が時間上限値Ｂ１を上回っていると判定した場合にも同様に、報知部１３に注意報知をさせる。運転制御部１０ａは、報知部１３に注意報知をさせた後、運転条件変更処理を終了する。
【００７０】
運転制御部１０ａは、ステップＳ１１１で運転時間延長指示を受信していないと判定すると、受信した運転条件変更指示が運転時間短縮指示であるか判定する（ステップＳ１１６）。運転制御部１０ａは、ステップＳ１１６で運転時間短縮指示を受信していないと判定すると、運転条件変更処理を終了する。
【００７１】
運転制御部１０ａは、ステップＳ１１６で運転時間短縮指示を受信したと判定すると、選択している運転モードがマニュアルモードであるか判定する（ステップＳ１１７）。運転制御部１０ａは、ステップＳ１１７で運転モードがマニュアルモードであると判定すると、受信した運転時間短縮指示に基づいて設定される設定時間ｂ２が時間下限値Ｂ２以上であるか判定する（ステップＳ１１８）。
【００７２】
運転制御部１０ａは、ステップＳ１１８で設定時間ｂ２が時間下限値Ｂ２以上であると判定すると、マニュアルモードの運転時間を設定時間ｂ２へと短縮させる（ステップＳ１１９）。運転制御部１０ａは、上記ステップ１１５と同様に、短縮後の運転時間である設定時間ｂ２をマニュアルモードの新たな運転時間として記憶部１０ｂに記憶させる。運転制御部１０ａは、新たな運転時間を記憶部１０ｂに記憶させた後、運転条件変更処理を終了する。
【００７３】
運転制御部１０ａは、ステップＳ１１７で運転モードがマニュアルモードでないと判定した場合、ステップＳ１０６と同様に、報知部１３に注意報知をさせる。運転制御部１０ａは、ステップＳ１１８で設定時間ｂ２が時間下限値Ｂ２を下回っていると判定した場合にも同様に、報知部１３に注意報知をさせる。運転制御部１０ａは、報知部１３に注意報知をさせた後、運転条件変更処理を終了する。
【００７４】
上記構成を採用することにより、使用者は、記憶部１０ｂに記憶されたマニュアルモードの運転温度を任意の値に設定することができる。使用者は、ふとん乾燥機に予め設定されている運転温度に制限されることなく、任意の運転温度でふとん乾燥機を運転させることができる。これにより使用者は、ストレスの少ない状態でふとん乾燥機を使用することができる。
【００７５】
本発明であれば使用者は、使用環境等に合わせて運転温度を任意に設定することができる。使用者は、気温等の使用環境に合わせて運転温度を設定することにより、ふとん乾燥機を適切に運転させることができる。
【００７６】
使用者は、例えば運転温度を初期設定値よりも高温にすることによって、ふとん乾燥機の乾燥効率を上げることができる。乾燥効率があがることにより、対象物の乾燥が完了するまでの時間が短縮される。使用者がふとん乾燥機を使用する際には、例えば時間を十分にとれず、運転中に取消部１１ｃによって運転を強制的に停止させなければならない場合がある。本発明であれば、上記のような場合においても、対象物を十分に乾燥させることが可能となる。
【００７７】
また、例えば衣類を乾燥させる際には、衣類の量や生地の厚さに合わせて運転温度を調整することができる。例えば衣類が少ない場合には運転温度を下げることによって、無駄な消費電力を削減することができる。
【００７８】
また上記実施例において使用者は、マニュアルモードの運転条件として、運転温度だけでなく運転時間も任意に設定することができる。本例であれば使用者は、例えば予め設定された運転時間ほどの運転は不要であると判断した場合、運転時間を短縮させることができる。ふとん乾燥機の運転時間が短縮することにより、使用者のストレスが軽減される。また無駄な消費電力が削減される。予め設定された運転時間ほどの運転は不要であると判断した場合としては、例えば気温が高い場合等が含まれる。なお本発明のふとん乾燥機は、運転温度のみを任意に変更可能な構成としてもよい。
【００７９】
また上記実施例において記憶部１０ｂには、第１範囲が記憶されている。第１範囲は、例えばふとん乾燥機の設計パラメータ及び予め想定される使用環境等によって設定される。運転制御部１０ａは、マニュアルモードの運転温度を第１可能範囲の外には変更しない。これにより、例えば使用者の操作ミスによってふとん乾燥機が過度な高温あるいは過度な低温の運転温度で運転することが防止される。
【００８０】
同様に、上記実施例において記憶部１０ｂには、第２範囲が記憶されている。第２範囲は、例えばふとん乾燥機の設計パラメータ及び予め想定される使用環境等によって設定される。運転制御部１０ａは、マニュアルモードの運転時間を第２範囲の外には変更しない。これにより、例えば使用者の操作ミスによってふとん乾燥機が過度な長時間あるいは過度な短時間で運転することが防止される。なお本発明のふとん乾燥機は、第１範囲あるいは第２範囲が設定されていなくてもよい。
【００８１】
また上記実施例のふとん乾燥機は、一例として報知部１３を備える。運転制御部１０ａは、運転温度変更部１１ｄから受信した運転温度変更指示がマニュアルモードの運転温度を第１範囲の外に変更する指示の場合、報知部１３に注意報知を行わせる。これにより使用者は、運転温度変更部１１ｄの操作ミスを認識することができる。
【００８２】
同様に運転制御部１０ａは、運転時間変更部１１ｅから受信した運転時間変更指示がマニュアルモードの運転時間を第２範囲の外に変更する指示の場合、報知部１３に注意報知を行わせる。これにより使用者は、運転時間変更部１１ｅの操作ミスを認識することができる。
【００８３】
上記実施例のふとん乾燥機は、一例として表示部１２を備える。運転制御部１０ａは、マニュアルモードの運転条件を変更した際、変更後の運転条件を表示部１２に表示させる。これにより使用者は、運転条件が変更されたことを視認することができる。また使用者は、自身が設定した運転条件の具体的な数値を視認することができる。
【００８４】
上記実施例において運転制御部１０ａは、マニュアルモードの運転条件を変更した際、変更後の運転条件を新たな運転条件として記憶部１０ｂに記憶させる。記憶部１０ｂに記憶された新たな運転条件は、例えばふとん乾燥機が上記ステップＳ１２の運転停止処理を行った後も、記憶部１０ｂに記憶され続ける。これにより、使用者がふとん乾燥機を使用する度にマニュアルモードの運転条件を設定する必要がなくなる。本例であれば使用者のストレスが軽減される。
【００８５】
なお、記憶部１０ｂに記憶された新たな運転条件は、例えばふとん乾燥機が上記ステップＳ１２の運転停止処理を行う度に、初期条件に戻されるとしてもよい。初期条件は、例えば予め記憶部１０ｂに記憶される。初期条件には、運転温度及び運転時間の初期値が含まれる。運転制御部１０ａは、マニュアルモードを選択している時に上記ステップＳ１２の運転停止処理を行うと、運転温度を初期値に戻してもよい。同様に運転制御部１０ａは、マニュアルモードを選択している時に上記ステップＳ１２の運転停止処理を行うと、運転時間を初期値に戻してもよい。
【００８６】
上記実施例において取消部１１ｃは、ふとん乾燥機の運転を停止させる際に操作される。取消部１１ｃは、例えば使用者がふとん乾燥機の運転条件を初期条件に戻す際に操作されるとしてもよい。本例の取消部１１ｃは、使用者からの操作に応じて運転条件初期化指示を制御装置１０へ送信する機能を有する。制御装置１０は、運転条件初期化指示を受信すると、記憶部１０ｂに記憶されたマニュアルモードの運転条件を初期条件へと変更する。
【００８７】
上記実施例の記憶部１０ｂには、運転条件変更可能モードの一例としてマニュアルモードが記憶されている。記憶部１０ｂには、複数の運転条件変更可能モードが登録されてもよい。複数の運転条件変更可能モードは、例えば第１マニュアルモード、第２マニュアルモードである。本例であれば使用者は、運転条件を任意に設定したモードを記憶部１０ｂに複数記憶させ、記憶させた複数のモードを使用環境に応じて使い分けることができる。
【００８８】
上記実施例のふとん乾燥機は、乾燥用マット２をふとんの間に挟み込み、乾燥用マット２の内部に温風を送ることにより、ふとんを温めて乾燥する構成である。本発明のふとん乾燥機は上記実施例以外にも、乾燥用マット２を用いずに、ホース３から直接ふとんの間に温風を送るものでもよい。
【００８９】
また本発明のふとん乾燥機は、設定する運転温度と運転時間とが相互に関連して変化する構成としてもよい。例えば設定する運転温度に対応して、運転時間が設定できる範囲が変化する構成としてもよい。例えば、設定する運転温度が高くなるほど、運転時間が設定できる範囲の最大値が短くなる構成にするとよい。
【００９０】
同様に、例えば設定する運転時間に対応して、運転温度が設定できる範囲が変化する構成としてもよい。例えば、設定する運転時間が長くなるほど、設定できる運転温度の最大温度が低くなる構成にするとよい。本例であれば、高温での過度な長時間の運転を防止することができる。これにより使用者は、ふとん乾燥機をより安全に使用することができる。
【００９１】
上記実施例において運転制御部１０ａは、ステップＳ１０２、ステップＳ１０３、ステップＳ１０８、ステップＳ１０９、ステップＳ１１２、ステップＳ１１３、ステップＳ１１７及びステップＳ１１８において、ＮＯと判定した場合、ステップＳ１０６に移行する。運転制御部１０ａは、ステップＳ１０６で、報知部１３に注意報知を行わせる。
【００９２】
上記実施例以外にも運転制御部１０ａは、例えば判定したステップに応じて、それぞれ異なるステップに移行するとしてもよい。運転制御部１０ａは、移行したステップに応じた注意報知を、報知部１３に行わせるとしてもよい。
【００９３】
運転制御部１０ａは、例えばステップＳ１０２及びステップＳ１０８でＮＯと判定した場合、マニュアルモードでないので運転温度を変更できないことを報知させるステップに移行するとしてもよい。運転制御部１０ａは、マニュアルモードでないので運転温度を変更できないことを報知させるステップに移行すると、例えば報知部１３に、「マニュアルモードではないので運転温度を変更できません。」との音声報知を実行させてもよい。
【００９４】
また運転制御部１０ａは、例えばステップＳ１０３でＮＯと判定した場合、運転温度が上限に達していることを注意報知させるステップに移行するとしてもよい。運転制御部１０ａは、運転温度が上限に達していることを報知させるステップに移行すると、例えば報知部１３に、「運転温度の上限です。」との音声報知を実行させてもよい。
【００９５】
また運転制御部１０ａは、例えばステップＳ１０９でＮＯと判定した場合、運転温度が下限に達していることを注意報知させるステップに移行するとしてもよい。運転制御部１０ａは、運転温度が下限に達していることを報知させるステップに移行すると、例えば報知部１３に、「運転温度の下限です。」との音声報知を実行させてもよい。
【００９６】
同様に運転制御部１０ａは、例えばステップＳ１１２及びステップＳ１１７でＮＯと判定した場合、マニュアルモードでないので運転時間を変更できないことを報知させるステップに移行するとしてもよい。運転制御部１０ａは、マニュアルモードでないので運転時間を変更できないことを報知させるステップに移行すると、例えば報知部１３に、「マニュアルモードではないので運転時間を変更できません。」との音声報知を実行させてもよい。
【００９７】
また運転制御部１０ａは、例えばステップＳ１１３でＮＯと判定した場合、運転時間が上限に達していることを注意報知させるステップに移行するとしてもよい。運転制御部１０ａは、運転時間が上限に達していることを報知させるステップに移行すると、例えば報知部１３に、「運転時間の上限です。」との音声報知を実行させてもよい。
【００９８】
また運転制御部１０ａは、例えばステップＳ１１８でＮＯと判定した場合、運転時間が下限に達していることを注意報知させるステップに移行するとしてもよい。運転制御部１０ａは、運転時間が下限に達していることを報知させるステップに移行すると、例えば報知部１３に、「運転時間の下限です。」との音声報知を実行させてもよい。
【００９９】
図６は、制御装置１０のハードウェア構成図である。
【０１００】
制御装置１０における運転制御部１０ａ及び記憶部１０ｂの各機能は、処理回路により実現される。処理回路は、専用ハードウェア５０であってもよい。処理回路は、プロセッサ５１及びメモリ５２を備えていてもよい。処理回路は、一部が専用ハードウェア５０として形成され、更にプロセッサ５１及びメモリ５２を備えていてもよい。図６は、処理回路が、その一部が専用ハードウェア５０として形成され、プロセッサ５１及びメモリ５２を備えている場合の例を示している。
【０１０１】
処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、又はこれらを組み合わせたものが該当する。
【０１０２】
処理回路が少なくとも１つのプロセッサ５１及び少なくとも１つのメモリ５２を備える場合、運転制御部１０ａ及び記憶部１０ｂの各機能は、ソフトウェア、ファームウェア、又はソフトウェアとファームウェアとの組み合わせにより実現される。ソフトウェアやファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。メモリ５２は、例えば、ＲＡＭ、ＲＯＭ、フラッシュメモリー、ＥＰＲＯＭ、ＥＥＰＲＯＭ等の、不揮発性又は揮発性の半導体メモリや、磁気ディスク、フレキシブルディスク、光ディスク、コンパクトディスク、ミニディスク、ＤＶＤ等が該当する。
【０１０３】
このように、処理回路は、ハードウェア、ソフトウェア、ファームウェア、又はこれらの組み合わせによって、制御装置１０の各機能を実現することができる。
【符号の説明】
【０１０４】
１  乾燥機本体、  ２  乾燥用マット、  ３  ホース、  ４  敷きふとん、  ５  掛けふとん、  ６  筐体部、  ６ａ  吸気口、  ６ｂ  吹出口、  ７  送風機、  ８  加熱装置、  ９  温度センサー、  １０  制御装置、  １０ａ  運転制御部、  １０ｂ  記憶部、  １１  操作部、  １１ａ  運転モード選択部、  １１ｂ  運転開始部、  １１ｃ  取消部  、  １１ｄ  運転温度変更部  、  １１ｄ１  運転温度上昇指示部、  １１ｄ２  運転温度下降指示部、  １１ｅ  運転時間変更部、  １１ｅ１  運転時間延長指示部、  １１ｅ２  運転時間短縮指示部、  １２  表示部、  １３  報知部、  ５０  専用ハードウェア、  ５１  プロセッサ、  ５２  メモリ
【図１】
2017056027.tif 000003
【図２】
2017056027.tif 000004
【図３】
2017056027.tif 000005
【図４】
2017056027.tif 000006
【図５】
2017056027.tif 000007
【図６】
2017056027.tif 000008